【手続補正書】
【提出日】平成18年4月27日(2006.4.27)
【手続補正１】
【補正対象書類名】明細書
【補正対象項目名】特許請求の範囲
【補正方法】変更
【補正の内容】
【特許請求の範囲】
【請求項１】  周辺機器とデータ通信可能なデータ処理装置であって、
前記周辺機器との通信により前記周辺機器の機能情報、接続情報およびステータス情報を取得する取得手段と、
前記取得手段により取得された機能情報、接続情報およびステータス情報を記憶する記憶手段と、
前記記憶手段に記憶される接続情報およびステータス情報に基づきシステム構成をアイコンで表示部に表示させるシステム表示手段と、
前記システム表示手段により表示される任意のアイコンの組み合わせを指示する第１の指示手段と、
前記記憶手段に記憶される機能情報に基づき、前記第１の指示手段により指示された組み合わせに基づく機能に関する設定をするための設定画面を表示部に表示させる機能設定画面表示手段と、
前記第１の指示手段に指示された組み合わせのうちのいずれかの周辺機器により入力される情報と結合される情報の入力元を指示する第２の指示手段と、
前記第１の指示手段により指示された組み合わせのうちのいずれかの周辺機器により入力される情報と前記第２の指示手段により指示された入力元から入力される情報との結合順序をアイコンの配列で表示する結合順序表示手段と、
前記機能設定画面表示手段により表示される設定画面に対する実行指示に基づき、前記第１の指示手段により指示された組み合わせのうちのいずれかの周辺機器により入力される情報および前記第２の指示手段により指示された入力元から入力される情報を、前記結合順序表示手段により表示される結合順序で結合するよう制御する制御手段と、
を有することを特徴とするデータ処理装置。
【請求項２】  前記結合順序表示手段により表示される結合順序を変更指示する結合順序変更手段を設けたことを特徴とする請求項１記載のデータ処理装置。
【請求項３】  前記入力元は、前記データ処理装置、通信可能な他のデータ処理装置、または前記第１の指示手段により指示された組み合わせのうちのいずれかの周辺機器とは異なる周辺機器を含むことを特徴とする請求項１または２記載のデータ処理装置。
【請求項４】  周辺機器とデータ通信可能なデータ処理装置であって、
複数の周辺機器を指定する指示手段と、
前記指示手段により指示された複数の周辺機器によりそれぞれ入力される情報の結合順序をアイコンの配列で表示する結合順序表示手段と、
前記指示手段により指示された複数の周辺機器からそれぞれ入力される情報を、前記結合順序表示手段に表示される結合順序で結合するよう制御する制御手段と、
を有することを特徴とするデータ処理装置。
【請求項５】  前記結合順序表示手段により表示される結合順序を変更指示する結合順序変更手段を設けたことを特徴とする請求項４記載のデータ処理装置。
【請求項６】 周辺機器とデータ通信可能なデータ処理装置であって、
互いに独立した、前記周辺機器で印刷されるべき第１の情報と前記周辺機器で印刷されるべき第２の情報との出力順序を表示する出力順序表示手段と、
前記第１の情報と前記第２の情報とが前記出力順序表示手段により表示される出力順序で結合された前記周辺機器で印刷可能な出力ジョブを生成する制御手段とを有することを特徴とするデータ処理装置。
【請求項７】 出力形式を設定するための設定画面を表示する設定画面表示手段とを有し、
前記制御手段は、前記設定画面表示手段により表示される設定画面で設定された出力形式の出力ジョブを生成することを特徴とする請求項６に記載のデータ処理装置。
【請求項８】 前記出力形式は、用紙サイズの指定、両面印刷の指定、２ｉｎ１の指定、ステイプルの指定、倍率の指定、縮小または拡大の指定、濃度の指定、または品位の指定を含むことを特徴とする請求項６或いは７に記載のデータ処理装置。
【請求項９】 前記出力順序表示手段は、前記第１の情報及び前記第２の情報のそれぞれを示すアイコンの配列で出力順序を表示することを特徴とする請求項６乃至８のいずれかに記載のデータ処理装置。
【請求項１０】  前記周辺機器は、プリンタ装置、ファクシミリ装置、デジタル複写機、スキャナ装置、デジタルカメラ装置、またはモデム装置を含むことを特徴とする請求項１乃至９のいずれかに記載のデータ処理装置。
【請求項１１】  周辺機器とデータ通信可能なデータ処理装置におけるデータ処理方法であって、
前記周辺機器との通信により前記周辺機器の機能情報、接続情報およびステータス情報を取得する取得工程と、
前記取得工程により取得された機能情報、接続情報およびステータス情報を記憶する記憶工程と、
前記記憶工程において記憶される接続情報およびステータス情報に基づきシステム構成をアイコンで表示部に表示させるシステム表示工程と、
前記システム表示工程で表示された任意のアイコンの組み合わせを指示する第１の指示工程と、
前記記憶工程において記憶される機能情報に基づき、前記第１の指示工程において指示された組み合わせに基づく機能に関する設定をするための設定画面を表示部に表示させる機能設定画面表示工程と、
前記第１の指示工程に指示された組み合わせのうちのいずれかの周辺機器により入力される情報と結合される情報の入力元を指示する第２の指示工程と、
前記第１の指示工程により指示された組み合わせのうちのいずれかの周辺機器により入力される情報と前記第２の指示工程により指示された入力元から入力される情報との結合順序をアイコンの配列で表示部に表示させる結合順序表示工程と、
前記設定画面に対する実行指示に基づき、前記第１の指示工程により指示された組み合わせのうちのいずれかの周辺機器により入力される情報および前記第２の指示工程により指示された入力元から入力される情報を、前記結合順序表示工程で表示された結合順序で結合するよう制御する制御工程と、
を有することを特徴とするデータ処理方法。
【請求項１２】  前記結合順序表示工程で表示される結合順序を変更指示する結合順序変更工程を設けたことを特徴とする請求項１１記載のデータ処理方法。
【請求項１３】  前記入力元は、前記データ処理装置、通信可能な他のデータ処理装置、または前記第１の指示工程により指示された組み合わせのうちのいずれかの周辺機器とは異なる周辺機器を含むことを特徴とする請求項１１または１２記載のデータ処理方法。
【請求項１４】  周辺機器とデータ通信可能なデータ処理装置におけるデータ処理方法であって、
複数の周辺機器を指定する指示工程と、
前記指示工程により指示された複数の周辺機器によりそれぞれ入力される情報の結合順序をアイコンの配列で表示部に表示させる結合順序表示工程と、
前記指示工程により指示された複数の周辺機器からそれぞれ入力される情報を、前記結合順序表示工程で表示される結合順序で結合するよう制御する制御工程と、
を有することを特徴とするデータ処理方法。
【請求項１５】  前記結合順序表示工程で表示される結合順序を変更指示する結合順序変更工程を設けたことを特徴とする請求項１４記載のデータ処理方法。
【請求項１６】 周辺機器とデータ通信可能なデータ処理装置であって、
互いに独立した、前記周辺機器で印刷されるべき第１の情報と前記周辺機器で印刷されるべき第２の情報との出力順序を表示する出力順序表示工程と、
前記第１の情報と前記第２の情報とが前記出力順序表示工程において表示される出力順序で結合された前記周辺機器で印刷可能な出力ジョブを生成する制御工程とを有することを特徴とするデータ処理方法。
【請求項１７】 出力形式を設定するための設定画面を表示する設定画面表示工程とを有し、
前記制御工程では、前記設定画面表示工程において表示される設定画面で設定された出力形式の出力ジョブを生成することを特徴とする請求項１６に記載のデータ処理方法。
【請求項１８】 前記出力形式は、用紙サイズの指定、両面印刷の指定、２ｉｎ１の指定、ステイプルの指定、倍率の指定、縮小または拡大の指定、濃度の指定、または品位の指定を含むことを特徴とする請求項１６或いは１７に記載のデータ処理方法。
【請求項１９】 前記出力順序表示工程では、前記第１の情報及び前記第２の情報のそれぞれを示すアイコンの配列で出力順序を表示することを特徴とする請求項１６乃至１８のいずれかに記載のデータ処理方法。
【請求項２０】  前記周辺機器は、プリンタ装置、ファクシミリ装置、デジタル複写機、スキャナ装置、デジタルカメラ装置、またはモデム装置を含むことを特徴とする請求項１１乃至２０のいずれかに記載のデータ処理方法。
【請求項２１】  周辺機器とデータ通信可能なデータ処理装置を制御するコンピュータが読み出し可能なプログラムを格納した記憶媒体であって、
前記周辺機器との通信により前記周辺機器の機能情報、接続情報およびステータス情報を取得する取得工程と、
前記取得工程により取得された機能情報、接続情報およびステータス情報を記憶する記憶工程と、
前記記憶工程において記憶される接続情報およびステータス情報に基づきシステム構成をアイコンで表示部に表示させるシステム表示工程と、
前記システム表示工程で表示された任意のアイコンの組み合わせを指示する第１の指示工程と、
前記記憶工程において記憶される機能情報に基づき、前記第１の指示工程において指示された組み合わせに基づく機能に関する設定をするための設定画面を表示部に表示させる機能設定画面表示工程と、
前記第１の指示工程に指示された組み合わせのうちのいずれかの周辺機器により入力される情報と結合される情報の入力元を指示する第２の指示工程と、
前記第１の指示工程により指示された組み合わせのうちのいずれかの周辺機器により入力される情報と前記第２の指示工程により指示された入力元から入力される情報との結合順序をアイコンの配列で表示部に表示させる結合順序表示工程と、
前記設定画面に対する実行指示に基づき、前記第１の指示工程により指示された組み合わせのうちのいずれかの周辺機器により入力される情報および前記第２の指示工程により指示された入力元から入力される情報を、前記結合順序表示工程で表示された結合順序で結合するよう制御する工程と、
を有することを特徴とするコンピュータが読み出し可能なプログラムを格納した記憶媒体。
【請求項２２】  周辺機器とデータ通信可能なデータ処理装置を制御するコンピュータが読み出し可能なプログラムを格納した記憶媒体であって、
複数の周辺機器を指定する指示工程と、
前記指示工程により指示された複数の周辺機器によりそれぞれ入力される情報の結合順序をアイコンの配列で表示部に表示させる結合順序表示工程と、
前記指示工程により指示された複数の周辺機器からそれぞれ入力される情報を、前記結合順序表示工程で表示される結合順序で結合するよう制御する制御工程と、
を有することを特徴とするコンピュータが読み出し可能なプログラムを格納した記憶媒体。
【請求項２３】 周辺機器とデータ通信可能なデータ処理装置を制御するコンピュータが読み出し可能なプログラムを格納した記憶媒体であって、
互いに独立した、前記周辺機器で印刷されるべき第１の情報と前記周辺機器で印刷されるべき第２の情報との出力順序を表示する出力順序表示工程と、
前記第１の情報と前記第２の情報とが前記出力順序表示工程において表示される出力順序で結合された前記周辺機器で印刷可能な出力ジョブを生成する制御工程とを有することを特徴とするコンピュータが読み出し可能なプログラムを格納した記憶媒体。
【手続補正２】
【補正対象書類名】明細書
【補正対象項目名】０００５
【補正方法】変更
【補正の内容】
【０００５】
本発明は、上記の問題点を解決するためになされたもので、本発明の目的は、複数の周辺機器から個別に入力操作した後、１つ１つ結合操作するという従来の煩雑な操作を行うことなく、複数の入力元と結合順序を指定するという簡単な操作により、ユーザの所望とする複数の入力元から入力される情報をユーザの所望とする順序で組み合わせて選択した出力機器により出力することができるという優れた操作環境を自在に構築することができる仕組を提供することである。
【手続補正３】
【補正対象書類名】明細書
【補正対象項目名】０００６
【補正方法】変更
【補正の内容】
【０００６】
【問題点を解決するための手段】
本発明に係る第１の発明は、周辺機器とデータ通信可能なデータ処理装置であって、前記周辺機器との通信により前記周辺機器の機能情報、接続情報およびステータス情報を取得する取得手段（図２に示すＣＰＵ２が記憶される制御プログラムを実行して通信処理により取得処理する）と、前記取得手段により取得された機能情報、接続情報およびステータス情報を記憶する記憶手段（図２に示すＣＰＵ２が記憶される制御プログラムを実行して、例えばハードディスク１０，ＰＭＥＭ３のメモリを介して記憶処理する）と、前記記憶手段に記憶される接続情報およびステータス情報に基づきシステム構成をアイコンで表示部に表示させるシステム表示手段（図２に示すＣＰＵ２が記憶される制御プログラムを実行して、例えば図１１に示す表示形態でＣＲＴ１６上に表示処理する）と、前記システム表示手段により表示される任意のアイコンの組み合わせを指示する第１の指示手段（図１１に示す表示画面上で、図２に示すマウス等によりカーソル等を操作して指示する）と、前記記憶手段に記憶される機能情報に基づき、前記第１の指示手段により指示された組み合わせに基づく機能に関する設定をするための設定画面を表示部に表示させる機能設定画面表示手段（図２に示すＣＰＵ２が記憶される制御プログラムを実行して、例えば図４２に示す表示画面をＣＲＴ１６上に表示処理する）と、前記第１の指示手段に指示された組み合わせのうちのいずれかの周辺機器により入力される情報と結合される情報の入力元を指示する第２の指示手段（図４２に示す結合文書ファイル指定エリア１２０１，結合画像データ指定エリア１２０２）と、前記第１の指示手段により指示された組み合わせのうちのいずれかの周辺機器により入力される情報と前記第２の指示手段により指示された入力元から入力される情報との結合順序をアイコンの配列で表示する結合順序表示手段（図２に示すＣＰＵ２が記憶される制御プログラムを実行して、出力順序表示エリア１２０３に画像１２０３ｂ，結合文書１２０３ａ，結合画像１２０３ｃを結合出力順序で表示処理する）と、前記機能設定画面表示手段により表示される設定画面に対する実行指示に基づき、前記第１の指示手段により指示された組み合わせのうちのいずれかの周辺機器により入力される情報および前記第２の指示手段により指示された入力元から入力される情報を、前記結合順序表示手段により表示される結合順序で結合するよう制御する制御手段（図２に示すＣＰＵ２が記憶される制御プログラムを実行して、入力される情報を出力順序表示エリア１２０３に表示される順序で結合して複数の周辺機器による複合機能を制御処理する）とを有するものである。
【手続補正４】
【補正対象書類名】明細書
【補正対象項目名】０００７
【補正方法】変更
【補正の内容】
【０００７】
本発明に係る第２の発明は、前記結合順序表示手段により表示される結合アイコンの配列順序を変更指示する結合順序変更手段（図２に示すマウス１３等により出力順序表示エリア１２０３に表示される画像１２０３ｂ，結合文書１２０３ａ，結合画像１２０３ｃの配列順序を変更指示する）を設けたものである。
【手続補正５】
【補正対象書類名】明細書
【補正対象項目名】０００８
【補正方法】変更
【補正の内容】
【０００８】
本発明に係る第３の発明は、前記入力元は、データ処理装置、通信可能な他のデータ処理装置、または前記第１の指示手段により指示された組み合わせのうちのいずれかの周辺機器とは異なる周辺機器（結合画像データ指定エリア１２０２で指定されるスキャナ装置）を含むものである。
【手続補正６】
【補正対象書類名】明細書
【補正対象項目名】０００９
【補正方法】変更
【補正の内容】
【０００９】
本発明に係る第４の発明は、周辺機器とデータ通信可能なデータ処理装置であって、複数の周辺機器を指定する指示手段（図１１に示す表示画面上で、図２に示すマウス等によりカーソル等を操作して指示する）と、前記指示手段により指示された複数の周辺機器によりそれぞれ入力される情報の結合順序をアイコンの配列で表示する結合順序表示手段（図２に示すＣＰＵ２が記憶される制御プログラムを実行して、出力順序表示エリア１２０３に画像１２０３ｂ，結合文書１２０３ａ，結合画像１２０３ｃを結合出力順序で表示処理する）と、前記指示手段により指示された複数の周辺機器からそれぞれ入力される情報を前記結合順序表示手段により表示される結合順序で結合するように制御手段（図２に示すＣＰＵ２が記憶される制御プログラムを実行して、入力される情報を出力順序表示エリア１２０３に表示される順序で結合して複数の周辺機器による複合機能を制御処理する）とを有するものである。
【手続補正７】
【補正対象書類名】明細書
【補正対象項目名】００１０
【補正方法】変更
【補正の内容】
【００１０】
本発明に係る第５の発明は、前記結合順序表示手段により表示される結合順序を変更指示する結合順序変更手段（図２に示すマウス１３等により出力順序表示エリア１２０３に表示される画像１２０３ｂ，結合文書１２０３ａ，結合画像１２０３ｃの配列順序を変更指示する）を設けたものである。
【手続補正８】
【補正対象書類名】明細書
【補正対象項目名】００１１
【補正方法】変更
【補正の内容】
【００１１】
本発明に係る第６の発明は、周辺機器とデータ通信可能なデータ処理装置であって、互いに独立した、前記周辺機器で印刷されるべき第１の情報と前記周辺機器で印刷されるべき第２の情報との出力順序を表示する出力順序表示手段と、前記第１の情報と前記第２の情報とが前記出力順序表示手段により表示される出力順序で結合された前記周辺機器で印刷可能な出力ジョブを生成する制御手段とを有するものである。
【手続補正９】
【補正対象書類名】明細書
【補正対象項目名】００１２
【補正方法】変更
【補正の内容】
【００１２】
本発明に係る第７の発明は、出力形式を設定するための設定画面を表示する設定画面表示手段とを有し、前記制御手段は、前記設定画面表示手段により表示される設定画面で設定された出力形式の出力ジョブを生成するものである。
本発明に係る第８の発明は、前記出力形式は、用紙サイズの指定、両面印刷の指定、２ｉｎ１の指定、ステイプルの指定、倍率の指定、縮小または拡大の指定、濃度の指定、または品位の指定を含むものである。
本発明に係る第９の発明は、前記出力順序表示手段は、前記第１の情報及び前記第２の情報のそれぞれを示すアイコンの配列で出力順序を表示するものである。
【手続補正１０】
【補正対象書類名】明細書
【補正対象項目名】００１３
【補正方法】変更
【補正の内容】
【００１３】
本発明に係る第１０の発明は、前記周辺機器は、プリンタ装置、ファクシミリ装置、デジタル複写機、スキャナ装置、デジタルカメラ装置、またはモデム装置を含むものである。
【手続補正１１】
【補正対象書類名】明細書
【補正対象項目名】００１４
【補正方法】変更
【補正の内容】
【００１４】
本発明に係る第１１の発明は、周辺機器とデータ通信可能なデータ処理装置におけるデータ処理方法であって、前記周辺機器との通信により前記周辺機器の機能情報、接続情報およびステータス情報を取得する取得工程（図３２のステップＳ３０１，Ｓ３０２）と、前記取得工程により取得された機能情報、接続情報およびステータス情報を記憶する記憶工程（図示しない工程）と、前記記憶工程において記憶される接続情報およびステータス情報に基づきシステム構成をアイコンで表示部に表示させるシステム表示工程（図３２のステップＳ３０３）と、前記システム表示工程で表示された任意のアイコンの組み合わせを指示する第１の指示工程（図３２のステップＳ３０４）と、前記記憶工程において記憶される機能情報に基づき、前記第１の指示工程において指示された組み合わせに基づく機能に関する設定をするための設定画面を表示部に表示させる機能設定画面表示工程（図３２ステップＳ３０６）と、前記第１の指示工程に指示された組み合わせのうちのいずれかの周辺機器により入力される情報と結合される情報の入力元を指示する第２の指示工程（図４５のステップＳ９０１，Ｓ９０３）と、前記第１の指示工程により指示された組み合わせのうちのいずれかの周辺機器により入力される情報と前記第２の指示工程により指示された入力元から入力される情報との結合順序をアイコンの配列で表示部に表示させる結合順序表示工程（図４５のステップＳ９０２，Ｓ９０４，Ｓ９０６）と、前記設定画面に対する実行指示に基づき、前記第１の指示工程により指示された組み合わせのうちのいずれかの周辺機器により入力される情報および前記第２の指示工程により指示された入力元から入力される情報を、前記結合順序表示工程で表示された結合順序で結合するように制御する制御工程（図４５のステップＳ９０８〜Ｓ９１５）とを有するものである。
【手続補正１２】
【補正対象書類名】明細書
【補正対象項目名】００１５
【補正方法】変更
【補正の内容】
【００１５】
本発明に係る第１２の発明は、前記結合順序表示工程で表示される結合順序を変更指示する結合順序変更工程（図４５のステップＳ９０５）を設けたものである。
【手続補正１３】
【補正対象書類名】明細書
【補正対象項目名】００１６
【補正方法】変更
【補正の内容】
【００１６】
本発明に係る第１３の発明は、前記入力元は、前記データ処理装置、通信可能な他のデータ処理装置、または前記第１の指示工程により指示された組み合わせのうちいずれかの周辺機器とは異なる周辺機器を含むものである。
【手続補正１４】
【補正対象書類名】明細書
【補正対象項目名】００１７
【補正方法】変更
【補正の内容】
【００１７】
本発明に係る第１４の発明は、周辺機器とデータ通信可能なデータ処理装置におけるデータ処理方法であって、複数の周辺機器を指定する指示工程（図３２のステップＳ３０４，図４５のステップＳ９０１，Ｓ９０３）と、前記指示工程により指示された複数の周辺機器によりそれぞれ入力される情報の結合順序をアイコンの配列で表示部に表示させる結合順序表示工程（図４５のステップＳ９０２，Ｓ９０４，Ｓ９０６）と、前記指示工程により指示された複数の周辺機器からそれぞれ入力される情報を前記結合順序表示工程で表示される結合順序で結合するよう制御する制御工程（図４５のステップＳ９０８〜Ｓ９１５）とを有するものである。
【手続補正１５】
【補正対象書類名】明細書
【補正対象項目名】００１８
【補正方法】変更
【補正の内容】
【００１８】
本発明に係る第１５の発明は、前記結合順序表示工程で表示される結合順序を変更指示する結合順序変更工程（図４５のステップＳ９０５）を設けたものである。
本発明に係る第１６の発明は、周辺機器とデータ通信可能なデータ処理装置であって、互いに独立した、前記周辺機器で印刷されるべき第１の情報と前記周辺機器で印刷されるべき第２の情報との出力順序を表示する出力順序表示工程と、前記第１の情報と前記第２の情報とが前記出力順序表示工程において表示される出力順序で結合された前記周辺機器で印刷可能な出力ジョブを生成する制御工程とを有するものである。
本発明に係る第１７の発明は、出力形式を設定するための設定画面を表示する設定画面表示工程とを有し、前記制御工程では、前記設定画面表示工程において表示される設定画面で設定された出力形式の出力ジョブを生成するものである。
本発明に係る第１８の発明は、前記出力形式は、用紙サイズの指定、両面印刷の指定、２ｉｎ１の指定、ステイプルの指定、倍率の指定、縮小または拡大の指定、濃度の指定、または品位の指定を含むものである。
本発明に係る第１９の発明は、前記出力順序表示工程では、前記第１の情報及び前記第２の情報のそれぞれを示すアイコンの配列で出力順序を表示するものである。
【手続補正１６】
【補正対象書類名】明細書
【補正対象項目名】００１９
【補正方法】変更
【補正の内容】
【００１９】
本発明に係る第２０の発明は、前記周辺機器は、プリンタ装置、ファクシミリ装置、デジタル複写機、スキャナ装置、デジタルカメラ装置、またはモデム装置を含むものである。
【手続補正１７】
【補正対象書類名】明細書
【補正対象項目名】００２０
【補正方法】変更
【補正の内容】
【００２０】
本発明に係る第２１の発明は、周辺機器とデータ通信可能なデータ処理装置を制御するコンピュータが読み出し可能なプログラムを格納した記憶媒体であって、前記周辺機器との通信により前記周辺機器の機能情報、接続情報およびステータス情報を取得する取得工程（図３２のステップＳ３０１，Ｓ３０２）と、前記取得工程により取得された機能情報、接続情報およびステータス情報を記憶する記憶工程（図示しない工程）と、前記記憶工程において記憶される接続情報およびステータス情報に基づきシステム構成をアイコンで表示部に表示させるシステム表示工程（図３２のステップＳ３０３）と、前記システム表示工程で表示された任意のアイコンの組み合わせを指示する第１の指示工程（図３２のステップＳ３０４）と、前記記憶工程において記憶される機能情報に基づき、前記第１の指示工程において指示された組み合わせに基づく機能に関する設定をするための設定画面を表示部に表示させる機能設定画面表示工程（図３２ステップＳ３０６）と、前記第１の指示工程に指示された組み合わせのうちのいずれかの周辺機器により入力される情報と結合される情報の入力元を指示する第２の指示工程（図４５のステップＳ９０１，Ｓ９０３）と、前記第１の指示工程により指示された組み合わせのうちのいずれかの周辺機器により入力される情報と前記第２の指示工程により指示された入力元から入力される情報との結合順序をアイコンの配列で表示部に表示させる結合順序表示工程（図４５のステップＳ９０２，Ｓ９０４，Ｓ９０６）と、前記設定画面に対する実行指示に基づき、前記第１の指示工程により指示された組み合わせのうちのいずれかの周辺機器により入力される情報および前記第２の指示工程により指示された入力元から入力される情報を、前記結合順序表示工程で表示された結合順序で結合するように制御する工程（図４５のステップＳ９０８〜Ｓ９１５）とを有するコンピュータが読み出し可能なプログラムを記憶媒体に格納したものである。
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】変更
【補正の内容】
【００２３】
本発明に係る第２２の発明は、周辺機器とデータ通信可能なデータ処理装置を制御するコンピュータが読み出し可能なプログラムを格納した記憶媒体であって、複数の周辺機器を指定する指示工程（図３２のステップＳ３０４，図４５のステップＳ９０１，Ｓ９０３）と、前記指示工程により指示された複数の周辺機器によりそれぞれ入力される情報の結合順序をアイコンの配列で表示部に表示させる結合順序表示工程（図４５のステップＳ９０２，Ｓ９０４，Ｓ９０６）と、前記指示工程により指示された複数の周辺機器からそれぞれ入力される情報を前記結合順序表示工程で表示される結合順序で結合するよう制御する制御工程（図４５のステップＳ９０８〜Ｓ９１５）とを有するコンピュータが読み出し可能なプログラムを記憶媒体に格納したものである。
【手続補正２１】
【補正対象書類名】明細書
【補正対象項目名】００２４
【補正方法】変更
【補正の内容】
【００２４】
本発明に係る第２３の発明は、周辺機器とデータ通信可能なデータ処理装置を制御するコンピュータが読み出し可能なプログラムを格納した記憶媒体であって、互いに独立した、前記周辺機器で印刷されるべき第１の情報と前記周辺機器で印刷されるべき第２の情報との出力順序を表示する出力順序表示工程と、前記第１の情報と前記第２の情報とが前記出力順序表示工程において表示される出力順序で結合された前記周辺機器で印刷可能な出力ジョブを生成する制御工程とを有するコンピュータが読み出し可能なプログラムを記憶媒体に格納したものである。
【手続補正２２】
【補正対象書類名】明細書
【補正対象項目名】０３４６
【補正方法】変更
【補正の内容】
【０３４６】
【発明の効果】
以上説明したように、本発明によれば、複数の周辺機器から個別に入力操作した後、１つ１つ結合操作するという従来の煩雑な操作を行うことなく、複数の入力元と結合順序を指定するという簡単な操作により、ユーザの所望とする複数の入力元から入力される情報をユーザの所望とする順序で組み合わせて選択した出力機器により出力することがきでるという優れた操作環境を自在に構築することができる等の効果を奏する。